(57)【要約】【課題】  スティック形状の導電性を有する本体の先端を弾性変形可能な平坦状の平坦部にし、この先端平坦部に導電性を有する粘着ゴムを被覆したので、静電気によるゴミの付着が防止できると共に、先端の平坦部が押し付ける力加減で弾性変形量が変化して、ゴミ付着面との接触面積を大きくできるスティック型塵埃除去具を提供することを目的とする。【解決手段】  スティック形状の導電性を有する綿棒状本体２の先端部を平坦状にし、この先端平坦部４に綿繊維を巻回した綿繊維を含めた平坦部４を覆うように導電性を有する粘着ゴム３を被覆したスティック型塵埃除去具及び軽量物品の吸着移送具。【選択図】図１
2006006690.tif 000002
【特許請求の範囲】
【請求項１】
スティック形状の導電性を有する綿棒状本体の先端部を平坦状にし、この先端平坦部に綿繊維を巻回し、この綿繊維を含めた平坦部に導電性を有する粘着ゴムを被覆したことを特徴とするスティック型塵埃除去具。
【請求項２】
スティック形状の導電性を有する綿棒状本体の先端部を平坦状にし、この先端平坦部に綿繊維を巻回し、この綿繊維を含めた平坦部に導電性を有する粘着ゴムを被覆したことを特徴とする軽量物品の吸着移送具。
【発明の詳細な説明】
【技術分野】
【０００１】
本発明は、液晶パネル等の組み立て工程中の偏光板、あるいは各種精密機器の狭隘部、角部等の表面上に付着するゴミ等を取り除く導電性を有する材料からなるスティック型塵埃除去具に関するものである。
【背景技術】
【０００２】
近年、液晶パネルがブラウン管方式のテレビモニターに代わって普及している。その液晶パネルを製造している各メーカーの部品組み立て現場ではクリーンな環境下で作業を行っているにも拘わらず、各種素材（例えば、偏光板、導光板、各種フィルム、バックライト自体等）に残存するゴミ取りに多大な労力を費やしていた。中でも、製品における手が届き難い場所にスポット的に散在するゴミを取り去る苦労は並大抵ではなかった。従来は、このスポットゴミを除去する方法の１つとして粘着ゴムを消しゴム付鉛筆のような形状物を使用し、鉛筆の消しゴム側を粘着性を持たせたゴムにした物が広く使用されている。
これは、製品に付着していたゴミを前記粘着ゴムに付着させ除去し、その付着したゴミを別途用意した粘着ゴムよりも強い粘着力を有する転写用のゴム板に付着させ除去をするという作業を繰り返すものである。なお、この粘着ゴム部分は取り外し可能な台座に付いており、本体とはネジにより接続されていて、交換ができるものである（図２参照）。
また、シャープペンシル形状の本体に設けられている鉛筆芯用空部に相当する部位に粘着ゴムを挿入し、前記本体の上部には、前記粘着ゴム上部に空隙を形成するように空隙部を設け、該空隙部に重しを上下動自在に挿入したペンシル型塵埃除去具（例えば、特許文献１参照）が存在している。
【特許文献１】特開２００２−１７７９１０号公報（特許請求の範囲の欄、実施例の欄の段落｛００１０｝、｛００１５｝〜｛００２０｝、図１〜図３を参照）
【発明の開示】
【発明が解決しようとする課題】
【０００３】
しかしながら、前記従来技術においては、長期間使用していると、粘着ゴムの部分が磨耗し、粘着力も低下する。また、台座と粘着ゴムの接着面が少ないため、粘着ゴムが折れて台座から取れてしまうことが多々ある。すると、粘着ゴムのゴム台座のネジを緩め、本体から外し新しい粘着ゴムと交換する必要がある。しかし、ネジにより接続されているために、交換に時間と手間が掛るという問題がある。また、粘着ゴムのゴミと接着する部分が半球状を呈しているため、ゴミを除去する際にゴミ付着面に接触する接触面積が小さく、ゴミが取りずらい。また、ゴミが付着しやすい接触角の保持に常に気をかけながら作業をしなければならないという問題があった。
また、従来技術である特許文献１のペンシル型塵埃除去具及び軽量物品の吸着移送具は、確かに前記従来技術の問題である「長期間使用していると、粘着ゴムの部分が磨耗し、粘着力も低下する。また、台座と粘着ゴムの接着面が少ないため、粘着ゴムが折れて台座から取れてしまうことが多々ある。すると、粘着ゴムのゴム台座のネジを緩め、本体から外し新しい粘着ゴムと交換する必要がある。」点は解消されたが、平坦な狭い部分や、角部のゴミが取りづらいという問題がある。同時に、ゴミを除去する際に剥離帯電を伴い、折角ゴミ除去に成功したとしても残存帯電の影響により、ゴミの再付着が生じ易いという問題があった。
そこで、本発明は、このような事情に鑑み、従来のものとは違って、スティック形状の導電性を有する本体の先端を弾性変形可能な平坦状の平坦部に綿繊維を巻回して、その綿繊維を含めた平坦部に導電性を有する粘着ゴムで被覆したので、静電気によるゴミの再付着が防止できると共に、先端の平坦部が押し付ける力加減で弾性変形量が変化して、ゴミ付着面との接触面積を大きくでき、しかも狭い隙間に存在するゴミも薄い平坦部を挿入して粘着除去可能なスティック型塵埃除去具を提供することを目的とするものである。
【課題を解決するための手段】
【０００４】
上記課題を解決するための本発明の第１発明は、請求項１に記載された通りのスティック型塵埃除去具であり、次のようなものである。
スティック形状の導電性を有する綿棒状本体の先端部を平坦状にし、この先端平坦部に綿繊維を巻回し、この綿繊維を含めた平坦部に導電性を有する粘着ゴムを被覆する構成である。
【０００５】
上記課題を解決するための本発明の第２発明は、請求項２に記載された通りのスティック型軽量物品の吸着移送具であり、次のようなものである。
スティック形状の導電性を有する綿棒状本体の先端部を平坦状にし、この先端平坦部に綿繊維を巻回し、この綿繊維を含めた平坦部に導電性を有する粘着ゴムを被覆する構成である。
【発明の効果】
【０００６】
本発明に係るスティック型塵埃除去具及び軽量物品の吸着移送具は、上記説明のような構成を有するので、以下に記載する効果を奏する。
（１）液晶パネルや精密機器に付着したゴミを確実に除去でき、しかも先端の薄い平坦部が、狭い隙間に挿入できるので、その隙間に存在するゴミを粘着ゴムで捕えることができ、さらに弾力性を有しているので押し付け力の加減でゴミを除去したい液晶パネル面に線接触ではなく、面接触の状態で接触面積を大きくしてゴミを保持できるので、効率良くゴミを取り除くことができる。
（２）スティック形状の本体と、先端の粘着ゴムは導電性を有する材料にすることにより、押し付け等の摩擦によって絶縁物の表面に静電気が生じるのを防止し、静電気によるゴミの吸引を防止するように、外部からの静電結合を除去でき、他からのゴミの再付着の防止ができるので、クリーン化を極めて良好に行うことができる。
【発明を実施するための最良の形態】
【０００７】
スティック形状の導電性を有する本体の先端部を弾力性で変形自在な平坦状にし、この平坦部に綿繊維を巻回して、その綿繊維を含めた平坦部を覆うように導電性を有し、粘着ゴムで被覆したスティック型塵埃除去具及び軽量物品の吸着移送具である。
【実施例】
【０００８】
以下、本発明の一実施例を添付図面で詳細に説明する。
先ず、スティック型塵埃除去具１の構造について説明する。
本発明で採用した軸棒である本体２に導電性を与え、その本体２の先端には平坦状の平坦部４を形成し、この平坦部４に綿繊維を巻回し、この綿繊維を含めた平坦部４に粘着ゴム３をドブ漬け等により被覆する。
前記導電性を有する本体２としては、ステンレス鋼、アルミニウム、黄銅等の導電性を有する金属や、導電性を有するポリスチレン、ＡＢＳ（アクリロニトリルブタジェンスチレン）、ポリプロピレン等のプラスチックを採用することができる。また、導電性を有する粘着ゴム３としては、導電性を有するポリウレタンゴムやブチルゴム、シリコンゴム等が採用できる。
【０００９】
なお、前記の綿繊維と記述したものは、一般に市販されている綿棒のようにコットンだけでなく、コットンに替わる捕水能力を有する綿状のものであれば良く、例えばポリエステル、ナイロン等の化学繊維も対象になることはいうまでもない。
【００１０】
以上では、導電性を有する粘着ゴム３を導電性を有する本体２の一先端の綿繊維で巻回した平坦部４に被覆したものについて説明したが、両端に種々の形状を有する粘着ゴム３を被覆することによって、使い勝手が良く、使用可能時間を２倍に延長することができる。
【００１１】
なお、導電性を有する粘着ゴム３は、微細なゴミ等を付着保持する粘着力を有し、しかもその粘着力の強さで、被清浄物へ何ら粘着ゴム自体からゴム質の転移などの影響を及ぼすことが無い純粋なゴム質のみで被覆されている。
【００１２】
しかし、導電性を有する本体２の綿繊維を含む平坦部４に導電性を有する粘着ゴム３を被覆してあるので、ゴミを除去しているうちに粘着力が劣化したら使い捨てにするものである。また、導電性を有する本体２の先端部の形状は、平坦状でなくても結合力は若干劣るが、断面形状が円柱状、三角柱状、四角柱状等、結合摩擦面積を多くするようにすれば同様の効果は奏される。
なお、念のために記述するが、導電性を有する本体２の先端に設けた平坦部４が導電性を有していない材料で形成した場合は、導電性を有する粘着ゴム３によって全体を覆って、導電性を有さない平坦部を完全に覆うようにすることがより良いことはいうまでもない。
【００１３】
次に、導電性を有する粘着ゴム３についてさらに具体的に説明する。
導電性を有する粘着ゴム３は材質をウレタンゴム、シリコンゴム、あるいはブチルゴムを主成分としたものが大半であり、その粘着力は仕上がり硬度と反比例の関係を持っている。
すなわち、重合度が増すと、硬度が高くなり、同時に粘着力は低下する。つまり、ゴミは付着するが、そのゴミが付着している媒体（例えば、テープ、シート、偏光板、ガラス板）とは簡単に剥離すると共に、その媒体にゴム成分が移行しないように、その粘着力の調整が導電性を有する粘着ゴム３の機能保持のポイントになる。
【００１４】
また、市販されている粘着ゴムの大半はゴミの付着が確認をし易いように淡青色、淡緑色、淡灰色等を呈するように顔料の添加を行ったものを採用している。しかし、一方ではその顔料の存在が好ましくなく、無添加の透明なものの方がよいとの考えもある。
【００１５】
また、導電性を有する粘着ゴム３の吸着作用によって軽量物品をＡ地点からＢ地点に移送することにも利用できる。
【産業上の利用可能性】
【００１６】
液晶パネルや精密機器に付着したゴミの除去だけではなく、一般家庭での電気機器等の掃除にも利用できる。
【図面の簡単な説明】
【００１７】
【図１】本発明のスティック型塵埃除去具及び軽量物品の吸着移送具を示す斜視図である。
【図２】従来の塵埃除去具を示す斜視図である。
【符号の説明】
【００１８】
１・・・・スティック型塵埃除去具
２・・・・導電性を有する本体
３・・・・導電性を有する粘着ゴム
４・・・・平坦部
【図１】
2006006690.tif 000003
【図２】
2006006690.tif 000004